(57)【要約】【課題】ファン式薬剤揮散装置に蚊取線香の趣きを付与し、心理的にも実際上も満足のいく殺虫効力を奏する線香付き薬剤揮散装置の提供。【課題の解決手段】有底筒状の本体内に、モーターにより駆動されるファンと、これに対向してシート状又はフェルト状の揮散性薬剤含浸体を取り付け、更にこの含浸体に近接して無薬剤蚊取線香を設置するとともに、前記蚊取線香の先端相当位置に燃焼赤熱部を模したＬＥＤランプを装填し、前記ファンの駆動とＬＥＤランプの点灯を連動させた線香付き薬剤揮散装置。【選択図】図２
2004357665.tif 000002
【特許請求の範囲】
【請求項１】
有底筒状の本体内に、モーターにより駆動されるファンと、これに対向してシート状又はフェルト状の揮散性薬剤含浸体を取り付け、更にこの含浸体に近接して無薬剤蚊取線香を設置するとともに、前記蚊取線香の先端相当位置に燃焼赤熱部を模したＬＥＤランプを装填し、前記ファンの駆動とＬＥＤランプの点灯を連動させたことを特徴とする線香付き薬剤揮散装置。
【請求項２】
揮散性薬剤が、エムペントリン及び一般式（Ｉ）
【化１】
2004357665.tif 000005
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上であることを特徴とする請求項１に記載の線香付き薬剤揮散装置。
【請求項３】
揮散性薬剤含浸体が、その目付（ｇ／ｍ２）を厚さ（ｍｍ）で除したパラメーターで示した時、３０〜３００（ｇ／ｍ２・ｍｍ）の範囲であることを特徴とする請求項１又は２に記載の線香付き薬剤揮散装置。
【発明の詳細な説明】
【０００１】
【産業上の利用分野】
本発明は、線香付き薬剤揮散装置に関するものである。
【０００２】
【従来の技術】
害虫、例えば蚊、ハエ、ブユなどを駆除するために、薬剤を閉鎖空間（建築物や自動車の室内、アウトドアスポーツにおけるテント内など）全体に揮散、放出させる薬剤揮散方法として、熱エネルギーを利用した蚊取線香や電気蚊取マット、液体式電気蚊取（リキッド）が一般的である。最近、電源として電池又は家庭用電源を用い、常温で薬剤含浸体にファン等の風をあてて薬剤を揮散、放出させるファン式薬剤揮散装置も実用化されているが、手軽である反面、昔ながらのタイプ、特に蚊取線香の趣きを懐かしむ声も多い。特開平１１−２２０９９３号公報に示される如く、液体式電気蚊取装置にファンを備え、蒸散した薬剤の拡散性を高めようとする提案はいくつかあるが、ファン式薬剤揮散装置と蚊取線香を組み合わせたものは未だない。
【０００３】
【特許文献１】
特開平１１−２２０９９３号公報
【０００４】
【発明が解決しようとする課題】
本発明は、ファン式薬剤揮散装置に蚊取線香の趣きを付与し、心理的にも実際上も満足のいく殺虫効力を奏する線香付き薬剤揮散装置を提供することを目的とする。
【０００５】
【課題を解決するための手段】
上記課題を解決するため、本発明は下記の構成を採用する。
（１）有底筒状の本体内に、モーターにより駆動されるファンと、これに対向してシート状又はフェルト状の揮散性薬剤含浸体を取り付け、更にこの含浸体に近接して無薬剤蚊取線香を設置するとともに、前記蚊取線香の先端相当位置に燃焼赤熱部を模したＬＥＤランプを装填し、前記ファンの駆動とＬＥＤランプの点灯を連動させた線香付き薬剤揮散装置。
（２）揮散性薬剤が、エムペントリン及び一般式（Ｉ）
【化２】
2004357665.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上である請求項１に記載の線香付き薬剤揮散装置。
（３）揮散性薬剤含浸体が、その目付（ｇ／ｍ２）を厚さ（ｍｍ）で除したパラメーターで示した時、３０〜３００（ｇ／ｍ２・ｍｍ）の範囲である請求項１又は２に記載の線香付き薬剤揮散装置。
【０００６】
【発明の実施の形態】
本発明の線香付き薬剤揮散装置は、有底筒状の本体内に、モーターにより駆動されるファンと、揮散性薬剤含浸体ならびに無薬剤蚊取線香を収納し、このため本体筒状部の外径は無薬剤蚊取線香よりも一回り大きく、深さは前記構成部材を収納可能に設計するのが適当である。モーターの仕様としては、家庭用電源、電池のいずれでも使用でき、ＤＣ２．０Ｖ〜６．０Ｖ駆動で、５００〜２０００ｒｐｍの回転数を与えるものが好ましく、例えば１００Ｖの交流電源を使用する場合は、ＡＣアダプターを用いて電圧ドロップ、整流した後モーター用電源回路に供給される。ＡＣアダプターは、薬剤揮散装置に内蔵してもよいが、コンセントプラグと一体化すると、プラグと薬剤揮散装置間の電源コードを軽量化できるというメリットを有する。また、モーターを所定時間回転させた後、回転を所定時間休止させるサイクルを繰り返して、揮散性薬剤を間欠的に揮散させるようにすることもできる。
送風機構（ファン）の形状や大きさも特に限定されないが、揮散性能の点からシロッコファンが好適に用いられる。
【０００７】
本発明の薬剤揮散装置では、ファンの回転面の先端から１０〜３０ｍｍの間隙を設けて、シート状又はフェルト状の揮散性薬剤含浸体が取り付けられる。薬剤含浸体の材質としては吸液性担体が用いられ、その目付（ｇ／ｍ２）を厚さ（ｍｍ）で除したパラメーターで示した時、３０〜３００（ｇ／ｍ２・ｍｍ）の範囲のものが好適である。例えば、パルプ、レーヨン、ビスコースなどのセルロース系繊維及び／又はポリエステル、ポリエチレン、ポリプロピレン、ポリアミドなどの合成繊維、ガラス繊維などがあげられ、これらは一種又は二種以上を絡合させてシート状又はフェルト状に成形される。
薬剤含浸体の形状や大きさは特に制限されないが、本体筒状部の内径より小さくし、本体内面と薬剤含浸体の外周との間に通気用の間隙を設けるように設計するのが好ましい。
【０００８】
本発明で用いられる揮散性薬剤は、殺虫成分としての常温揮散性ピレスロイドが代表的で、このような常温揮散性ピレスロイドとしては、例えば、エムペントリン及び一般式（Ｉ）
【化３】
2004357665.tif 000004
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物を例示することができる。
【０００９】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、又は４−プロパルギル−２，３，５，６−テトラフルオロベンジル−２，２−ジメチル−３−（１−プロペニル）シクロプロパンカルボキシレート（以後、化合物Ｊと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００１０】
本発明では、使用有効期間を１ケ月ないし約６ケ月間とし、前記薬剤含浸体に前述の揮散性薬剤を全体で６０〜６００ｍｇ含浸させるのが適当である。揮散性薬剤の含浸量が６０ｍｇより少ないと、殺虫効力の持続性に不足を生じる場合があり、一方６００ｍｇを超えて含浸させても格別のメリットはない。
薬剤の含浸に際しては、必要に応じ溶剤、希釈剤、界面活性剤、分散剤、徐放化剤などを用い、また従来から知られている各種含浸手段を採用することができる。更に、前記薬剤含浸体に、安定剤、香料、着色剤、帯電防止剤などを適宜配合してもよく、また薬剤組成物に、揮散性能に支障をきたさない程度において、揮散性の高い他の殺虫、忌避成分（例えば、ヒノキチオール、カルボン、サフロール、シトロネロール、ケイ皮アルデヒドなどの防虫香料など）、殺ダニ剤、殺菌剤、消臭剤などを添加して多目的組成物とすることもできる。
【００１１】
本発明は、前記薬剤含浸体に近接して無薬剤蚊取線香を設置するとともに、前記蚊取線香の先端相当位置に燃焼赤熱部を模したＬＥＤランプを装填し、前記ファンの駆動とＬＥＤランプの点灯を連動させたことに特徴を有する。
すなわち、ファンの駆動開始に伴い薬剤含浸体から揮散性薬剤が気中に放散されるが、蚊取線香の先端相当位置でＬＥＤランプが点灯するため、あたかも蚊取線香から薬剤が揮散しているように見える。これまで、蚊取線香の煙が嫌いで使用を敬遠した人にとっても、興味を引き遊び心を楽しめるものである。なお、本発明で用いる蚊取線香はダミーなので、例えばプラスチック製でも構わないが、もちろん実製品に即し植物性微粉末や糊剤を用いて成形してもよい。
【００１２】
こうして得られた本発明の線香付き薬剤揮散装置は、ファン式薬剤揮散装置に蚊取線香の趣きを付与し、蚊、ハエ、ブユ、イガ、カツオブシムシ類などの各種害虫に対して、心理的にも実際上も１ケ月ないしおよそ６ケ月にわたり満足のいく殺虫効力を奏するものである。
【００１３】
【実施例】
次に、具体的実施例ならびに試験例に基づいて、本発明の線香付き薬剤揮散装置を更に詳細に説明する。
【００１４】
実施例１
図１は本発明の線香付き薬剤揮散装置の一例の平面図を、図２はその断面図を示す。
線香付き薬剤揮散装置１は、筒状本体２（内径１４ｃｍ、深さ７ｃｍ）の内側に、シロッコファン３と、これを駆動させるモーター４と、吸気口５を備えている。モーター４は乾電池６（３Ｖ）を電源とし、回転数が８００ｒｐｍの仕様のものである。シロッコファン３から２ｃｍの間隙を設けて、厚さ５ｍｍで直径が１２ｃｍのシート状の揮散性薬剤含浸体７［ポリプロピレン繊維／レーヨン繊維からなる複合不織布（目付：６２０ｇ／ｍ２、目付／厚さパラメーター：１２４ｇ／ｍ２・ｍｍ）］を取り付け、この薬剤含浸体７の上方に燃焼赤熱部を模したＬＥＤランプ８を装着した。なお、薬剤含浸体７には、使用期間３ケ月用として、化合物Ｂ［２，３，５，６−テトラフルオロベンジル−２，２−ジメチル−３−（１−プロペニル）シクロプロパンカルボキシレート］２５０ｍｇを含浸させた。薬剤含浸体７に近接して無薬剤蚊取線香９を設置し、前記ＬＥＤランプ８の位置が蚊取線香９の先端位置に相当するようにして、本発明の線香付き薬剤揮散装置１を得た。
本薬剤揮散装置は、ファンの駆動とＬＥＤランプの点灯が連動し、薬剤含浸体からファンの作用で薬剤が揮散しつつ、一方あたかも蚊取線香が燃焼しているように見えるので、これまで蚊取線香の煙が嫌いで使用を敬遠した人にとっても蚊取線香の趣きを楽しむことができた。また、６畳の部屋で使用したところ、３ケ月にわたり十分な殺虫効力を示し、蚊に刺されることはなかった。
【００１５】
実施例２
実施例１の揮散性薬剤含浸体７の替わりに、厚さ４ｍｍのパルプ／レーヨン製シート（目付：１１２０ｇ／ｍ２、目付／厚さパラメーター：２８０ｇ／ｍ２・ｍｍ）を用い、この使用期間６ケ月用の薬剤含浸体７に、殺虫成分としての化合物Ｇ［４−メトキシメチル−２，３，５，６−テトラフルオロベンジル−クリサンテマート］３５０ｍｇと消臭成分としての緑茶抽出成分５００ｍｇを含浸させた。モーター４の制御プログラムを「回転３時間オン／２１時間オフ」とし、１０ｍ３の応接室内で使用したところ、間欠的な揮散にもかかわらず６ケ月にわたり各種害虫の防除に有効であった。また、蚊取線香の趣向はインテリア性にもマッチした。
【００１６】
【発明の効果】
本発明の線香付き薬剤揮散装置は、ファン式薬剤揮散装置に蚊取線香の趣きを付与し、蚊、ハエ、ブユ、イガ、カツオブシムシ類などの各種害虫に対して、心理的にも実際上も１ケ月ないしおよそ６ケ月にわたり満足のいく殺虫効力を奏するのでその実用性は極めて高い。
【図面の簡単な説明】
【図１】本発明の線香付き薬剤揮散装置の一例の平面図を示す。
【図２】その断面図を示す。
【符号の説明】
１：線香付き薬剤揮散装置、
２：筒状本体、
３：シロッコファン、
４：モーター、
５：吸気口、
６：乾電池、
７：揮散性薬剤含浸体、
８：ＬＥＤランプ、
９：無薬剤蚊取線香、
【図１】
2004357665.tif 000006
【図２】
2004357665.tif 000007